(57)【要約】【課題】細長い挿通具による不正行為が防止されるようになる基板ケース、及び、この基板ケースを利用した遊技機の提供。【解決手段】コネクタ用開口部67の周囲からメイン基板51へ向かって突出する筒状の内壁部68をカバー部66に設け、コネクタソケット61の側面に、内壁部68の突出端68A を当接させる段部64を設け、ベース部65にカバー部66を取り付けると、コネクタソケット61の段部64に、内壁部68の突出端68A が当接して、内壁部68が基板ケース53の内部空間を外部から封鎖する。従って、外部から細長い挿通具がコネクタ用開口部67の内部へ差し込まれても、細長い挿通具の基板ケース53内への侵入を内壁部68が阻止するので、挿通具がメイン基板51まで到達することがなく、挿通具による不正行為を未然に防止することができる。【選択図】図３
2010179158.tif 000002
【特許請求の範囲】
【請求項１】
外部との電気的な接続を行うケーブルの端部に設けられたコネクタプラグを受けるコネクタソケットが設けられた基板を内部に収納する基板ケースであって、
前記基板を表裏から覆うベース部及びカバー部を備え、
前記コネクタソケットは、前記コネクタプラグが機械的に結合される結合部を備えたものであり、
前記カバー部には、前記コネクタソケットの前記結合部を外部に露出させるコネクタ用開口部と、このコネクタ用開口部の周囲部分から前記基板へ向かって突出する筒状の内壁部が設けられ、
前記コネクタソケットの側面には、前記内壁部の前記基板に向かって突出した先端である突出端が当接する段部が設けられ、
前記段部は、前記突出端に設けられる先端面と接触する部位と、前記内壁部の内側面及び外側面と接する部位とを備え、
前記段部における、前記突出端と当接する面には、前記内壁部の内側面と接する階段状の膨出部、及び前記内壁部の外側面と接する階段状の膨出部の双方が設けられ、この双方の間に前記突出端が嵌合する溝が形成されていることを特徴とする基板ケース。
【請求項２】
外部との電気的な接続を行うケーブルの端部に設けられたコネクタプラグを受けるコネクタソケットが設けられた基板を内部に収納する基板ケースであって、
前記基板を表裏から覆うベース部及びカバー部を備え、
前記コネクタソケットは、前記コネクタプラグが機械的に結合される結合部を備えたものであり、
前記カバー部には、前記コネクタソケットの前記結合部を外部に露出させるコネクタ用開口部と、このコネクタ用開口部の周囲部分から前記基板へ向かって突出する筒状の内壁部が設けられ、
前記コネクタソケットの側面には、前記内壁部の前記基板に向かって突出した先端である突出端が当接する段部が設けられ、
前記内壁部における、突出端側の先端面が、断面クランク状の段付面とされ、
前記段部における、前記先端面と当接する面が、前記先端面と対応する形状の段付面とされていることを特徴とする基板ケース。
【請求項３】
前記内壁部における、前記突出端の内側下部が、断面クランク状となるように削がれた形状の段付面とされ、
前記段部の外側上部が、断面クランク状となるように削がれた形状の段付面とされ、
前記内壁部の段付面と、前記段部の段付面とが互いに噛み合っていることを特徴とする請求項２記載の基板ケース。
【発明の詳細な説明】
【技術分野】
【０００１】
本発明は、パチンコ機やスロットマシン等の遊技機における遊技動作を制御する電子回路等が形成された基板を内部に収納する基板ケース、及び、この基板ケースを利用した遊技機に関する。
【背景技術】
【０００２】
従来から、パチンコ機やスロットマシン等の遊技機は、遊技の進行に係る遊技動作を制御するために、ＣＰＵチップやＲＯＭ等の半導体素子を含んで構成された電子回路が設けられたプリント基板等の基板を備えたものとなっている。ここで、遊技機に設けられる制御用の基板としては、遊技そのものについての動作を制御するメインの基板だけでなく、遊技の進行に応じて行われる演出動作を制御する演出制御用の基板等、必要な遊技動作を行うために、各種のものが用意されている。
このような基板は、不正な処理や改造が施された基板にすり替えられないように、一般的には、箱状に形成された透明な合成樹脂製の基板ケースの内部に収納され、この状態で、遊技機の筐体に取り付けられている。
【０００３】
基板ケースとしては、例えば、箱状に形成されて基板を収納するとともに収納した基板を支持するケース本体と、ケース本体に支持された基板を覆うようにケース本体に取り付けられる蓋状のケースカバーとを備えたものが知られている（特許文献１参照）。
このような基板ケースによれば、筐体に掛止させるための掛止爪が基板ケースに設けられ、掛止爪を掛止する掛止部が筐体側に設けられているので、掛止爪を掛止部に掛止させるだけで、基板ケースを筐体に容易に取り付けることができる。
しかも、一旦、基板ケースを筐体に取り付けてしまうと、前述の掛止爪及び掛止部が基板ケースに隠蔽され、ケースカバーをケース本体から取り外さないと、掛止爪の掛止部への掛止を解除することができないようになっている。このため、基板を基板ケースごと筐体から取り外すことが困難となるので、不正基板へのすり替え行為を有効に防止することができる。
【先行技術文献】
【特許文献】
【０００４】
【特許文献１】特開２００３−３２０１５０号公報（図８，図９）
【発明の概要】
【発明が解決しようとする課題】
【０００５】
しかしながら、従来の基板ケースでは、当該基板ケース内に収納された基板と、その外部に配置された回路や装置等とをケーブルで電気的に接続する必要があるので、基板ケースのケースカバーには、ケーブルを挿通させるための接続用開口部が開口されており、このような接続用開口部を通じて、外部から侵入してきたピアノ線やセル等の細長い挿通具が基板ケース内の基板まで到達可能となり、挿通具による不正行為を防止することができない、という問題がある。
そこで、各請求項にそれぞれ記載された各発明は、上記した従来の技術の有する問題点に鑑みてなされたものであり、その目的とするところは、細長い挿通具による不正行為が防止されるようになる基板ケース、及び、この基板ケースを利用した遊技機を提供することである。
【課題を解決するための手段】
【０００６】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、外部との電気的な接続を行うケーブルの端部に設けられたコネクタプラグを受けるコネクタソケット(61)が設けられた基板(51)を内部に収納する基板ケース(53)であって、前記基板(51)を表裏から覆うベース部(65)及びカバー部(66)を備え、前記コネクタソケット(61)は、前記コネクタプラグが機械的に結合される結合部(62)を備えたものであり、前記カバー部(66)には、前記コネクタソケット(61)の前記結合部(62)を外部に露出させるコネクタ用開口部(67)と、このコネクタ用開口部(67)の周囲部分から前記基板(51)へ向かって突出する筒状の内壁部(68)が設けられ、前記コネクタソケット(61)の側面(63)には、前記内壁部(68)の突出端(68A)が当接する段部(64)が設けられ、前記内壁部（68）の前記突出端（68A）が前記コネクタソケット（61）の前記段部（64）から離れないように、前記内壁部（68）の前記突出端（68A）が前記コネクタソケット（61）の前記段部（64）に接着剤で接着されていることを特徴とする。
【０００７】
（請求項２）
（特徴点）
請求項２記載の発明は、次の点を特徴とする。
すなわち、請求項２に記載された発明は、外部との電気的な接続を行うケーブルの端部に設けられたコネクタプラグを受けるコネクタソケット(61)が設けられた基板(51)を内部に収納する基板ケース(53)であって、前記基板(51)を表裏から覆うベース部(65)及びカバー部(66)を備え、前記コネクタソケット(61)は、前記コネクタプラグが機械的に結合される結合部(62)を備えたものであり、前記カバー部(66)には、前記コネクタソケット(61)の前記結合部(62)を外部に露出させるコネクタ用開口部(67)と、このコネクタ用開口部(67)の周囲部分から前記基板(51)へ向かって突出する筒状の内壁部(68)が設けられ、前記コネクタソケット(61)の側面(63)には、前記内壁部(68)の突出端(68A)が当接する段部(64)が設けられ、前記段部（64）における、前記突出端（68A）と当接する面には、前記内壁部（68）の内側面（68B）と接する階段状の膨出部（64A）が設けられていることを特徴とする。
（請求項３）
（特徴点）
請求項３記載の発明は、次の点を特徴とする。
すなわち、請求項３に記載された発明は、外部との電気的な接続を行うケーブルの端部に設けられたコネクタプラグを受けるコネクタソケット(61)が設けられた基板(51)を内部に収納する基板ケース(53)であって、前記基板(51)を表裏から覆うベース部(65)及びカバー部(66)を備え、前記コネクタソケット(61)は、前記コネクタプラグが機械的に結合される結合部(62)を備えたものであり、前記カバー部(66)には、前記コネクタソケット(61)の前記結合部(62)を外部に露出させるコネクタ用開口部(67)と、このコネクタ用開口部(67)の周囲部分から前記基板(51)へ向かって突出する筒状の内壁部(68)が設けられ、前記コネクタソケット(61)の側面(63)には、前記内壁部(68)の突出端(68A)が当接する段部(64)が設けられ、前記段部（64）における、前記突出端（68A）と当接する面には、前記内壁部（68）の内側面（68B）と接する階段状の膨出部（64A）、及び前記内壁部（68）の外側面（68C）と接する階段状の膨出部（64B）の双方が設けられていることを特徴とする。
【０００８】
（請求項４）
（特徴点）
請求項４記載の発明は、次の点を特徴とする。
すなわち、請求項４に記載された発明は、外部との電気的な接続を行うケーブルの端部に設けられたコネクタプラグを受けるコネクタソケット(61)が設けられた基板(51)を内部に収納する基板ケース(53)であって、前記基板(51)を表裏から覆うベース部(65)及びカバー部(66)を備え、前記コネクタソケット(61)は、前記コネクタプラグが機械的に結合される結合部(62)を備えたものであり、前記カバー部(66)には、前記コネクタソケット(61)の前記結合部(62)を外部に露出させるコネクタ用開口部(67)と、このコネクタ用開口部(67)の周囲部分から前記基板(51)へ向かって突出する筒状の内壁部(68)が設けられ、前記コネクタソケット(61)の側面(63)には、前記内壁部(68)の突出端(68A)が当接する段部(64)が設けられ、前記内壁部（68）における、突出端（68A）側の先端面（68D）が、断面クランク状の段付面とされ、前記段部（64）における、前記先端面（68D）と当接する面が、前記先端面（68D）と対応する形状の段付面（64C）とされていることを特徴とする。
【発明の効果】
【０００９】
（請求項１、２、３、４の効果）
以上のように構成されている本発明は、以下に記載されるような効果を奏する。
すなわち、請求項１、２、３、４記載の発明によれば、コネクタ用開口部の周囲から基板へ向かって突出する筒状の内壁部をカバー部に設け、コネクタソケットの側面に内壁部の突出端を当接させる段部を設け、基板が取り付けられたベース部に、カバー部を取り付けると、コネクタソケットの段部に、内壁部の突出端が当接するようにしたので、内壁部が基板ケースの内部空間を外部空間に対して封鎖するようになる。
従って、外部から細長い挿通具がコネクタ用開口部の内部へ差し込まれても、細長い挿通具の基板ケース内への侵入を内壁部が阻止するので、挿通具が基板まで到達することがなく、挿通具による不正行為を防止することができる。
【００１０】
また、前述のような内壁部により細長い挿通具の侵入が阻止されるので、コネクタ用開口部の内法を、コネクタプラグの外法よりも一回り以上大きくして、コネクタ用開口部の内法に余裕を持たせても何ら問題が生じることがない。
そして、コネクタ用開口部の内法に余裕を持たせることにより、コネクタプラグをコネクタソケットに結合する際に、コネクタプラグの外側面とコネクタ用開口部の内側面との間に適宜な遊びが形成され、コネクタプラグのコネクタソケットへの結合が容易に行えるようになる。
また、コネクタソケットの段部に内壁部の突出端を当接させるようにしたので、基板におけるコネクタソケットの位置と、カバー部におけるコネクタ用開口部の位置とが若干ずれていても、内壁部の突出端がコネクタソケットの段部表面に確実に接し、内壁部によりコネクタ用開口部側の空間と基板ケースの内部空間とが確実に遮断されるようになる。
【００１１】
これにより、コネクタプラグのコネクタソケットへの結合に何ら支障を生じさせずに、細長い挿通具の侵入を阻止することができるようになる。従って、製造の際に、基板におけるコネクタソケットの位置、及び、カバー部におけるコネクタ用開口部の位置についての誤差が許容されるようになるので、基板の取付位置についての精度が緩和され、基板ケースの製造コストを抑制することができる。
【００１２】
（請求項１の効果）
請求項１記載の発明によれば、内壁部の突出端とコネクタソケットの段部とを接着したので、外部からコネクタ用開口部の内部へ差し込まれた細長い挿通具がコネクタソケットの段部に到達し、この段部に、万が一、強い押圧力を加えることができたとしても、内壁部の突出端がコネクタソケットの段部から離れることがなく、挿通具の基板ケース内への侵入を阻止することができ、この点からも、挿通具が基板まで到達することがなく、挿通具による不正行為を確実に防止することができる。
（請求項２の効果）
請求項２記載の発明によれば、内壁部の内側面と接する階段状の膨出部を設けたので、外部からコネクタ用開口部の内部へ差し込まれた細長い挿通具がコネクタソケットの段部に到達し、この段部に強い押圧力を加えられ、内壁部の突出端が、万が一、コネクタソケットの段部から離れてしまっても、コネクタソケットの段部に設けた膨出部と内壁部の側面との接触状態が維持され、膨出部が挿通具の基板ケース内への侵入を阻止するようになり、この点からも、挿通具が基板まで到達することがなく、挿通具による不正行為を確実に防止することができる。
（請求項３の効果）
請求項３記載の発明によれば、内壁部の内側面と接する階段状の膨出部、及び内壁部の外側面と接する階段状の膨出部の双方を設けたので、外部からコネクタ用開口部の内部へ差し込まれた細長い挿通具がコネクタソケットの段部に到達し、この段部に強い押圧力を加えられ、内壁部の突出端が、万が一、コネクタソケットの段部から離れてしまっても、コネクタソケットの段部に設けた膨出部と内壁部の側面との接触状態が維持され、膨出部が挿通具の基板ケース内への侵入を阻止するようになり、この点からも、挿通具が基板まで到達することがなく、挿通具による不正行為を確実に防止することができる。
（請求項４の効果）
請求項４記載の発明によれば、段部に膨出部を設けた場合と同様の効果を得ることができる。
【図面の簡単な説明】
【００１３】
【図１】本発明の一実施形態に係る遊技機としてのスロットマシンを示す正面図である。
【図２】前記実施形態に係るスロットマシンの前扉が開いた状態を示す斜視図である。
【図３】前記実施形態に係る基板ケースを示す三面図である。
【図４】本発明のそれぞれ異なる４つの変形例を示す断面図である。
【発明を実施するための形態】
【００１４】
以下に、本発明を実施するための最良の形態である一実施形態について、図面に基づいて説明する。
図１から図３までの図面は、本実施形態を示すものである。図１は、本実施形態に係る遊技機としてのスロットマシンを示す正面図、図２は、本実施形態に係るスロットマシンの前扉が開いた状態を示す斜視図、図３は、本実施形態に係る基板ケースを示す三面図である。
本実施形態に係る遊技機であるスロットマシン10は、図１及び図２の如く、略六面体の箱状に形成された筐体20を備えている。この筐体20は、３個の回転リール41が横並びに設けられたリールユニット40等の遊技用装置を収納するものとなっている。なお、回転リール41の各々は、リールユニット40に回転駆動可能に設けられ、且つ、それぞれの周面に複数種類の図柄が記されたものとなっている。
【００１５】
また、筐体20の前面開口部には、図１の如く、そのほぼ中央に窓部としてのリール窓42を備えた前扉30が当該前面開口部を覆うように設けられている。
前扉30に設けられたリール窓42は、３個の回転リール41に記された図柄を外部に露出させるための窓であり、３個すべての回転リール41の回転が停止した際に、縦横３個ずつ配列された計９個の図柄が表示できるように形成されている。
リール窓42の下方近傍には、左側から、貯留メダルを１枚ずつ投入するためのベットスイッチ33と、回転リール41の回転を開始させるためのスタートスイッチ35と、貯留メダルを３枚ずつ投入するためのマックスベットスイッチ34と、３個の回転リール41の回転をそれぞれ停止させる３個のストップスイッチ36と、メダルが投入されるメダル投入口31とが設けられている。
【００１６】
また、前扉30の下部には、入賞時にメダルを払い出すための払出口32が設けられている。この払出口32の下方には、受け皿39が設けられ、払出口32の図中右方には、演出音等を発するスピーカ38が設けられている。一方、前扉30の上部には、入賞時などに点滅する演出用ランプ37等が設けられている。
前扉30の裏面には、図２の如く、メダル投入口31に対応する位置に配置されるとともに、メダル投入口31に投入されたメダルを誘導しながらメダルの真贋を判定するメダルセレクタ43等が設けられている。
筐体20は、スロットマシン10の背部に配置された長方形状の背板24の四方を囲むように、底部の底板21と、天井部の天板22と、両側に配置された一対の側板23とを設けることにより、箱状に形成されたものである。
【００１７】
筐体20の内部には、前述したリールユニット40の他に、スロットマシン10の遊技における動作を制御する制御装置50と、メダルセレクタ43を通過したメダルを受け止めて貯留しておくとともに、貯留しているメダルを入賞時に払出口32から払い出すためのホッパーユニット44と、制御装置50やホッパーユニット44等に電力を供給するための電源装置45とが収納されている。
このうち、制御装置50は、スロットマシン10の遊技動作そのものを制御するための電子回路が形成されたメイン基板51と、スロットマシン10の演出動作を制御するための電子回路が形成されたサブ基板52とに分割されたものである。
【００１８】
ここで、メイン基板51及びサブ基板52は、それぞれ専用の基板ケース53，54の内部に収納されている。これらの基板ケース53，54には、細長い挿通具による不正行為を防止するために、本発明に基づく不正行為防止機構が設けられている。
以下に、メイン基板51を収納する基板ケース53の説明を行うとともに、併せて、本発明に基づく不正行為防止機構の説明も行う。
なお、サブ基板52を収納する基板ケース54、及び、この基板ケース54に設けられている不正行為防止機構は、メイン基板51を収納する基板ケース53、及び、この基板ケース53に設けられる不正行為防止機構と同様の構造を有するものなので、その説明は省略する。
【００１９】
メイン基板51は、図３の如く、互いに長さの異なる長辺及び短辺を有する長方形状の平面形状を有する基板である。メイン基板51の四つの角隅部分及び長辺の中央部分には、基板ケース53に設置する際に、その設置位置を決める位置決め孔55が設けられている。
また、メイン基板51の四辺のうち、図３中下方に配置された長辺に沿った端縁部分には、外部との電気的な接続を行うケーブル（図示略）の端部に設けられたコネクタプラグ（図示略）を受けるコネクタソケット61が２個設けられている。
コネクタソケット61の各々は、細長い短冊状の平面形状を有するものであり、その長手方向をメイン基板51の長辺に沿わせてメイン基板51に配置されている。また、これら２個のコネクタソケット61は、メイン基板51の長辺に沿わせて配列されている。そして、コネクタソケット61の各々には、前述のコネクタプラグとの機械的な結合を行うための結合部62が設けられている。
【００２０】
また、コネクタソケット61の側面63には、基板ケース53側に設けられている後述する内壁部68の突出端68A が当接する鍔状の段部64が突設されている。
基板ケース53は、メイン基板51の裏側及び表側をそれぞれ覆うベース部65及びカバー部66の二つに分割され、ベース部65及びカバー部66のそれぞれの開口を互いに突き合わせることにより、閉じた箱体となるものである。
ベース部65及びカバー部66は、メイン基板51に応じた長方形状の平面形状を有するものである。ベース部65及びカバー部66の各々には、その短辺に沿った端縁中央部分から突出した耳部56，57がそれぞれ設けられている。
【００２１】
ベース部65側の耳部56には、カバー部66から離れる方向へ突出する筒状のボス56A が設けられている。このボス56A には、ベース部65にカバー部66を取り付けるためのネジ58と螺合するネジ孔56B が形成されている。
一方、カバー部66側の耳部57には、前述のネジ58を挿通させる挿通孔57A が設けられている。そして、カバー部66側の耳部57に形成された挿通孔57A に挿通されたネジ58を、ベース部65側の耳部56に設けられたボス56A のネジ孔56B に螺合させることにより、ベース部65にカバー部66が取り付けられている。
また、ベース部65及びカバー部66の互いに対向する内面には、メイン基板51の位置決め孔55に対応してボス65A 及びボス66A が互いに近接する方向に突設されている。
【００２２】
ベース部65側のボス65A の端面には、メイン基板51の裏面（ベース部65と対向する面）から位置決め孔55に挿通されるとともに、位置決め孔55に挿通した状態にするとメイン基板51の表面から突出する凸部65B が設けられている。
カバー部66側のボス66A には、ベース部65側のボス65A の端面に設けられた凸部65B と嵌合する凹部66B が設けられている。
ここで、メイン基板51の位置決め孔55に、ベース部65のボス65A の端面に設けられた凸部65B を挿通するとともに、凸部65B の先端をメイン基板51の表面から突出させ、さらに、凸部65B の先端をカバー部66側のボス66A に設けられた凹部66B と嵌合させ、この状態で、ベース部65にカバー部66を取り付けることにより、メイン基板51は、ベース部65のボス65A とカバー部66側のボス66A との間に挟持され、基板ケース53の内部に収納・固定されるようになっている。
【００２３】
さらに、カバー部66には、コネクタソケット61の結合部62を外部に露出させるコネクタ用開口部67と、このコネクタ用開口部67の周囲部分からメイン基板51へ向かって突出する筒状の内壁部68が設けられている。
ここで、コネクタ用開口部67は、その内法が、コネクタソケット61に結合される図示しないコネクタプラグの外法よりも一回り以上大きく設定されている。これにより、コネクタ用開口部67の内法には、図示しないコネクタプラグの外法に対する余裕が確保されている。そして、コネクタ用開口部67の内法に余裕を持たせることにより、図示しないコネクタプラグをコネクタソケット61に結合する際に、コネクタプラグの外側面とコネクタ用開口部67の内側面との間に適宜な遊びが形成され、図示しないコネクタプラグのコネクタソケット61への結合が容易に行えるようになっている。
【００２４】
そして、内壁部68のメイン基板51に向かって突出した先端である突出端68A は、前述したように、メイン基板51側のコネクタソケット61の段部64に当接し、この状態で、段部64に図示しない接着剤により接着されている。
前述のような本実施形態によれば、次のような効果が得られる。
すなわち、コネクタ用開口部67の周囲からメイン基板51へ向かって突出する筒状の内壁部68をカバー部66に設け、コネクタソケット61の側面63に内壁部68の突出端68A を当接させる段部64を設け、メイン基板51が取り付けられたベース部65に、カバー部66を取り付けると、コネクタソケット61の段部64に、内壁部68の突出端68A が当接するようにしたので、内壁部68が基板ケース53の内部空間を外部空間に対して封鎖するようになる。
【００２５】
従って、外部から細長い挿通具がコネクタ用開口部67の内部へ差し込まれても、細長い挿通具の基板ケース53内への侵入を内壁部68が阻止するので、挿通具がメイン基板51まで到達することがなく、挿通具による不正行為を未然に防止することができる。
また、内壁部68の突出端68A とコネクタソケット61の段部64とを接着したので、外部からコネクタ用開口部67の内部へ差し込まれた細長い挿通具がコネクタソケット61の段部64に到達し、この段部64に、万が一、強い押圧力を加えることができたとしても、内壁部68の突出端68A がコネクタソケット61の段部64から離れることがなく、挿通具の基板ケース53内への侵入を阻止することができ、この点からも、挿通具がメイン基板51まで到達することがなく、挿通具による不正行為を確実に防止することができる。
【００２６】
なお、本発明は、前記実施形態に限定されるものではなく、本発明の目的を達成できる範囲における変形及び改良などをも含むものである。
例えば、コネクタソケットの段部としては、内壁部の突出端に設けられる先端面とのみ接触するものに限らず、内壁部の側面に接触する部位を備えたものも採用できる。
具体的には、図４（Ａ）に示すように、段部64の、突出端68A と当接する面に、内壁部68の内側面68B と接する階段状の膨出部64A が設けられているもの、図４（Ｂ）に示すように、段部64の突出端68A と当接する面に、内壁部68の外側面68C と接する階段状の膨出部64B が設けられているもの、図４（Ｃ）に示すように、段部64の突出端68A と当接する面に、前述の膨出部64A 及び膨出部64B の両方が設けられているものも採用できる。
【００２７】
このような膨出部64A, 64Bが設けられた段部64を採用すれば、外部からコネクタ用開口部67の内部へ差し込まれた細長い挿通具がコネクタソケット61の段部64に到達し、この段部64に強い押圧力を加えられ、内壁部68の突出端68A が、万が一、コネクタソケット61の段部64から離れてしまっても、コネクタソケット61の段部64に設けた膨出部64A, 64Bと内壁部68の側面68B, 68Cとの接触状態が維持され、膨出部64A, 64Bが挿通具の基板ケース53内への侵入を阻止するようになり、この点からも、挿通具がメイン基板51まで到達することがなく、挿通具による不正行為を確実に防止することができる。
また、内壁部68により細長い挿通具の侵入が阻止されるので、コネクタ用開口部67の内法を、図示しないコネクタプラグの外法よりも一回り以上大きくして、コネクタ用開口部67の内法に余裕を持たせても、何ら問題が生じない。
【００２８】
そして、コネクタ用開口部67の内法に余裕を持たせることにより、図示しないコネクタプラグをコネクタソケット61に結合する際に、コネクタプラグの外側面とコネクタ用開口部67の内側面との間に適宜な遊びが形成されるので、コネクタプラグのコネクタソケット61への結合を容易に行うことができる。
また、コネクタソケット61の段部64に内壁部68の突出端68A を当接させるようにしたので、メイン基板51におけるコネクタソケット61の位置と、カバー部66におけるコネクタ用開口部67の位置とが若干ずれていても、内壁部68の突出端68A がコネクタソケット61の段部64表面に確実に接し、内壁部68によりコネクタ用開口部67側の空間と基板ケース53の内部空間とが確実に遮断されるようになる。
【００２９】
これにより、コネクタプラグのコネクタソケット61への結合に何ら支障を生じさせずに、細長い挿通具の侵入を阻止することができるようになる。従って、製造の際に、メイン基板51におけるコネクタソケット61の位置、及び、カバー部66におけるコネクタ用開口部67の位置についての誤差が許容されるようになるので、メイン基板51の取付位置についての精度が緩和され、基板ケース53の製造コストを抑制することができる。
また、内壁部としては、突出端側の先端に設けられている面が平面となっているものに限らず、図４（Ｄ）に示すように、突出端側の先端面68D が断面クランク状の段付面とされたものでもよい。このような段付の先端面68D を備えた内壁部68を採用する場合には、先端面68D が当接する段部64の面も、先端面68D と対応する段付面64C を形成すれば、段部64に膨出部64A, 64Bを設けた場合と同様の作用・効果を得ることができる。
【００３０】
なお、遊技機としては、スロットマシンに限らず、パチンコ機等の他の種類の遊技を行う遊技機でもよく、本発明は、不正行為がなされるおそれのある遊技機全般に適用することができる。
【符号の説明】
【００３１】
10  スロットマシン
51  基板（メイン基板）
53  基板ケース
61  コネクタソケット
62  結合部
63  コネクタソケットの側面
64  段部
64A, 64B  膨出部
65  ベース部
66  カバー部
67  コネクタ用開口部
68  内壁部
68A 突出端
68B 内壁部の内側面
68C 内壁部の外側面
【図１】
2010179158.tif 000003
【図２】
2010179158.tif 000004
【図３】
2010179158.tif 000005
【図４】
2010179158.tif 000006
【手続補正書】
【提出日】平成22年5月24日(2010.5.24)
【手続補正２】
【補正対象書類名】明細書
【補正対象項目名】０００６
【補正方法】変更
【補正の内容】
【０００６】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
【手続補正３】
【補正対象書類名】明細書
【補正対象項目名】０００７
【補正方法】変更
【補正の内容】
【０００７】
（請求項１）
（特徴点）
請求項１記載の発明は、次の点を特徴とする。
すなわち、請求項１に記載された発明は、外部との電気的な接続を行うケーブルの端部に設けられたコネクタプラグを受けるコネクタソケット(61)が設けられた基板(51)を内部に収納する基板ケース(53)であって、前記基板(51)を表裏から覆うベース部(65)及びカバー部(66)を備え、前記コネクタソケット(61)は、前記コネクタプラグが機械的に結合される結合部(62)を備えたものであり、前記カバー部(66)には、前記コネクタソケット(61)の前記結合部(62)を外部に露出させるコネクタ用開口部(67)と、このコネクタ用開口部(67)の周囲部分から前記基板(51)へ向かって突出する筒状の内壁部(68)が設けられ、前記コネクタソケット(61)の側面(63)には、前記内壁部(68)の前記基板(51)に向かって突出した先端である突出端(68A)が当接する段部(64)が設けられ、前記段部(64)は、前記突出端(68A)に設けられる先端面と接触する部位と、前記内壁部(68)の内側面(68B)及び外側面(68C)と接する部位とを備え、前記段部（64）における、前記突出端（68A）と当接する面には、前記内壁部（68）の内側面（68B）と接する階段状の膨出部（64A）、及び前記内壁部（68）の外側面（68C）と接する階段状の膨出部（64B）の双方が設けられ、この双方の間に前記突出端(68A)が嵌合する溝が形成されていることを特徴とする。
【手続補正４】
【補正対象書類名】明細書
【補正対象項目名】０００８
【補正方法】変更
【補正の内容】
【０００８】
（請求項２）
（特徴点）
請求項２記載の発明は、次の点を特徴とする。
すなわち、請求項２に記載された発明は、外部との電気的な接続を行うケーブルの端部に設けられたコネクタプラグを受けるコネクタソケット(61)が設けられた基板(51)を内部に収納する基板ケース(53)であって、前記基板(51)を表裏から覆うベース部(65)及びカバー部(66)を備え、前記コネクタソケット(61)は、前記コネクタプラグが機械的に結合される結合部(62)を備えたものであり、前記カバー部(66)には、前記コネクタソケット(61)の前記結合部(62)を外部に露出させるコネクタ用開口部(67)と、このコネクタ用開口部(67)の周囲部分から前記基板(51)へ向かって突出する筒状の内壁部(68)が設けられ、前記コネクタソケット(61)の側面(63)には、前記内壁部(68)の前記基板(51)に向かって突出した先端である突出端(68A)が当接する段部(64)が設けられ、前記内壁部（68）における、突出端（68A）側の先端面（68D）が、断面クランク状の段付面とされ、前記段部（64）における、前記先端面（68D）と当接する面が、前記先端面（68D）と対応する形状の段付面（64C）とされていることを特徴とする。
（請求項３）
（特徴点）
請求項３記載の発明は、前述した請求項２に記載の発明において、次の特徴点を備えているものである。
すなわち、請求項３に記載された発明は、前記内壁部（68）における、前記突出端（68A）の内側下部が、断面クランク状となるように削がれた形状の段付面とされ、前記段部（64）の外側上部が、断面クランク状となるように削がれた形状の段付面（64C）とされ、前記内壁部(68)の段付面と、前記段部(64)の段付面(64C)とが互いに噛み合っていることを特徴とする。
【手続補正５】
【補正対象書類名】明細書
【補正対象項目名】０００９
【補正方法】変更
【補正の内容】
【０００９】
（請求項１、２、３の効果）
以上のように構成されている本発明は、以下に記載されるような効果を奏する。
すなわち、請求項１、２、３記載の発明によれば、コネクタ用開口部の周囲から基板へ向かって突出する筒状の内壁部をカバー部に設け、コネクタソケットの側面に内壁部の突出端を当接させる段部を設け、基板が取り付けられたベース部に、カバー部を取り付けると、コネクタソケットの段部に、内壁部の突出端が当接するようにしたので、内壁部が基板ケースの内部空間を外部空間に対して封鎖するようになる。
従って、外部から細長い挿通具がコネクタ用開口部の内部へ差し込まれても、細長い挿通具の基板ケース内への侵入を内壁部が阻止するので、挿通具が基板まで到達することがなく、挿通具による不正行為を防止することができる。
【手続補正６】
【補正対象書類名】明細書
【補正対象項目名】００１２
【補正方法】変更
【補正の内容】
【００１２】
（請求項１の効果）
請求項１記載の発明によれば、内壁部の内側面と接する階段状の膨出部、及び内壁部の外側面と接する階段状の膨出部の双方を設けたので、外部からコネクタ用開口部の内部へ差し込まれた細長い挿通具がコネクタソケットの段部に到達し、この段部に強い押圧力を加えられ、内壁部の突出端が、万が一、コネクタソケットの段部から離れてしまっても、コネクタソケットの段部に設けた膨出部と内壁部の側面との接触状態が維持され、膨出部が挿通具の基板ケース内への侵入を阻止するようになり、この点からも、挿通具が基板まで到達することがなく、挿通具による不正行為を確実に防止することができる。
（請求項２、３の効果）
請求項２、３記載の発明によれば、段部に膨出部を設けた場合と同様の効果を得ることができる。